(57)【要約】【課題】水掘りによる基礎工事（掘削工事）において生じている泥水等の飛散の問題点を解決すること。【解決手段】付着物除去装置１は、筒状の装置本体１０と、ワイヤロープ１０５に付着した泥水等の付着物を擦り落とすための弾性プレート４１〜４６と、を有している。弾性プレート４１〜４６は、ワイヤロープ１０５を巻き上げている間において掘削装置に連結されたワイヤロープ１０５に接触するように、装置本体１０に取り付けられている。そして、掘削装置を引き上げるためにワイヤロープ１０５が巻き上げられた際には、このワイヤロープが装置本体１０に対して相対的に移動するとともに、弾性プレート４１〜４６がワイヤロープ１０５に付着した付着物を擦り落とすようになっている。その結果、ワイヤロープ１０５を巻き上げる際に、現場周辺の民家や車両等が、ワイヤロープから飛散する泥水等によって汚染されるという事態が生じるのを防止することができる。【選択図】図５
2005083061.tif 000002
【特許請求の範囲】
【請求項１】
内側に所定空間を有する筒状に形成され、クレーンのシーブを介して垂下されたワイヤロープが当該内側の所定空間を介して延出するようになっている中空の装置本体と、
少なくともワイヤロープを巻き上げている間において当該ワイヤロープに接触するように前記装置本体に取付けられ、当該ワイヤロープに付着した付着物を除去するための付着物除去手段と、を有することを特徴とするワイヤロープの付着物を除去するための付着物除去装置。
【請求項２】
内側に所定空間を有する筒状に形成され、クレーンのシーブを介して垂下されたワイヤロープが当該内側の所定空間を介して延出するようになっている中空の装置本体と、
少なくともワイヤロープを巻き上げている間において当該ワイヤロープに接触するように前記装置本体に取付けられ、当該ワイヤロープに付着した付着物を擦り落とすための擦り落とし手段と、を有することを特徴とするワイヤロープの付着物を除去するための付着物除去装置。
【請求項３】
地盤の所定部位に凹所を設け、当該凹所に対して水を張設し、クレーンによって吊設された掘削装置を利用して、水を介して地盤掘削を行う基礎工事において用いられる装置であって、
クレーンのシーブ側を臨むようになっている上方側と、当該クレーンのシーブを介して垂下されたワイヤロープに連結された掘削装置側を臨むようになっている下方側と、を有しており、内側に所定空間を備え、筒状に形成された中空の装置本体と、
前記装置本体の上方に形成され、前記所定空間に通じる上開口部と、
前記装置本体の下方に形成され、前記所定空間を介して前記上開口部に通じる下開口部と、
前記装置本体に取付けられ、前記ワイヤロープに付着した付着物を擦り落とすための擦り落とし手段と、を有しており、
前記上開口部，所定空間，及び下開口部は、クレーンのシーブを介して垂下されたワイヤロープが延出する通路を構成しており、
前記掘削装置は、前記上開口部，所定空間，及び下開口部を介して垂下されたワイヤロープに連結されるようになっており、
前記擦り落とし手段は、少なくともワイヤロープを巻き上げている間において前記掘削装置に連結されたワイヤロープに接触するように、前記装置本体に取り付けられており、
前記掘削装置を水中から引き上げるために前記クレーンによって前記ワイヤロープが巻き上げられた際には、当該ワイヤロープが前記装置本体に対して相対的に移動するとともに、前記擦り落とし手段が当該ワイヤロープに付着した付着物を擦り落とすようになっていることを特徴とするワイヤロープの付着物を除去するための付着物除去装置。
【請求項４】
前記擦り落とし手段は、弾性材料から構成されていることを特徴とする請求項３記載のワイヤロープの付着物を除去するための付着物除去装置。
【請求項５】
前記掘削装置は、前記上開口部，所定空間，及び下開口部を経て垂下されたワイヤロープに対して、スイベルジョイントを介して連結されており、
前記装置本体の所定空間は、前記スイベルジョイントを収容可能な大きさを有するように形成されており、
前記掘削装置を水中から引き上げるために前記クレーンによって前記ワイヤロープが巻き上げられた際には、前記スイベルジョイントが、前記装置本体の下開口部を介して前記所定空間に進入して、当該所定空間に収容されるようになっていることを特徴とする請求項３又は４記載のワイヤロープの付着物を除去するための付着物除去装置。
【請求項６】
前記擦り落とし手段は、全体として、所定径の孔が形成された板状又は筒状に形成されており、
前記擦り落とし手段の孔の径は、前記ワイヤロープの径よりも小さい寸法を有しており、
前記ワイヤロープは、前記擦り落とし手段の当該孔を介して延出するようになっていることを特徴とする請求項３乃至５の何れかに記載のワイヤロープの付着物を除去するための付着物除去装置。
【請求項７】
前記擦り落とし手段は、前記装置本体に対して、着脱自在に取付けられていることを特徴とする請求項３乃至６の何れかに記載のワイヤロープの付着物を除去するための付着物除去装置。
【請求項８】
地盤の所定部位に凹所を設け、当該凹所に対して水を張設し、クレーンによって吊設された掘削装置を利用して、水を介して地盤掘削を行う基礎工事施工方法であって、
クレーンのシーブから垂下されたワイヤロープに対して、掘削装置を、スイベルジョイントを介して連結し、
前記ワイヤロープが上開口部，所定空間，及び下開口部を介して延出し、且つ、擦り落とし手段が当該ワイヤロープと接触するように、請求項１乃至７の何れかに記載の付着物除去装置を、前記スイベルジョイントと前記シーブとの間において、当該ワイヤロープに取り付け、
前記除去装置の擦り落とし手段が前記ワイヤロープに接触した状態において、前記掘削装置を水中から引き上げるために前記クレーンによって前記ワイヤロープを巻き上げることを特徴とする基礎工事の施工方法。
【請求項９】
さらに、前記掘削装置の引き上げに伴って上昇してきた前記スイベルジョイントを、当該スイベルジョイントが装置本体によって囲繞されるように、前記付着物除去装置の装置本体の所定空間に収容し、
スイベルジョイントのほぼ全体が、前記付着物除去装置の装置本体の所定空間に収容された状態において、掘削装置の水中からの引き上げを完了することを特徴とする請求項８記載の基礎工事の施工方法。
【発明の詳細な説明】
【技術分野】
【０００１】
本発明は、付着物除去装置及び当該装置を用いた基礎工事の施工方法に関し、具体的には、水掘りによる掘削工事において用いられ、水中から引き上げられたワイヤロープに付着した付着物を除去するための付着物除去装置、及び当該装置を用いる基礎工事の施工方法に関する。
【背景技術】
【０００２】
従来より、建築工事等のための基礎工事においては、工事中にヒービングやボイリング等の発生を防ぐ目的で、地盤の所定部位に凹所（孔）を設け、当該凹所に対して水を張設して孔壁等を支持させながら、当該水を介して地盤掘削を行う方法（所謂「水掘り」）が採用されている。以下、図１１に基づいて、この水掘りを利用した従来の基礎工事の施工方法の一例について説明する。
【０００３】
図１１に示すように、水掘りを利用した従来の基礎工事（掘削工事）を実施する際には、たとえば、地上に設置した図示しないチュービングジャッキ（ケーシングパイプ回転圧入引抜装置）等を利用して、ケーシングパイプ２０１を回転させながら地盤２０３の中に押し込む。同時に、ハンマーグラブ１４１を利用して、ケーシングパイプ２０１の内側にある土砂（掘削土）を地上に排出して、当該ケーシングパイプの内側に所定深度の凹所を形成する。次に、形成された凹所において、図１１に示すように水２０５を張設し、この水を介して水掘りによる掘削工事を行う。
【０００４】
水２０５を介して掘削作業を行う際には、まず、ワイヤロープ１０５を巻き上げて、ハンマーグラブ１４１を所定の高さ（水面より上）にまで吊り上げる。次に、ウインチ（主巻装置）１０３を開放してワイヤロープ１０５を繰り出し、３．５トン程度の重さのハンマーグラブ１４１を自然落下させる。その結果、ハンマーグラブ１４１は、自重によって勢いよく水中へ進入して、その先端（シェル１４２）が水底の土砂に食い込む。次に、ワイヤロープ１０５のウインチ操作により、ハンマーグラブ１４１のシェル１４２の内側へ土砂を蓄えてすくい上げる。次に、ハンマーグラブ１４１が掴み取った土砂を排土するために、ワイヤロープ１０５を巻き上げて、土砂を掴み取った状態のハンマーグラブ１４１を水中から引き上げる。
【０００５】
しかしながら、上述した従来の基礎工事の施工方法には、以下のような問題がある。
すなわち、ハンマーグラブ１４１のシェル１４２内に蓄えられた土砂を排土する際には、水中からハンマーグラブ１４１を引き上げるために、ワイヤロープ１０５を巻き上げる。そのとき、水中から巻き上げられるワイヤロープ１０５には、泥水や汚泥等が大量に付着している。また、基礎工事においてベントナイトを使用している場合には、水中から巻き上げられるワイヤロープ１０５には、ベントナイト泥水が大量に付着している。（以下、汚泥や泥水（ベントナイト泥水を含む）等を単に「泥水」という。）
【０００６】
ワイヤロープ１０５に大量に付着した泥水は、当該ワイヤロープが水中から引き上げられた後においても、巻き上げに伴って当該ワイヤロープに随伴して上昇し続ける。そして、ワイヤロープ１０５がクレーン１０１のシーブ１０２を通過する位置において、泥水の一部が、ワイヤロープ１０５から滴下する。ワイヤロープ１０５から滴下した泥水は、工事現場周辺に飛び散るだけでなく、風にのって周辺の民家や車両等に向かって飛び散る。
【０００７】
また、ワイヤロープ１０５には、巻き上げられる際に、長さ方向を回転軸とする自転が生ずるようになっている。（この回転は、ワイヤロープ１０５の撚りに起因する自転トルクによって生ずる。）そのため、ワイヤロープ１０５を巻き上げる際には、当該ワイヤロープに付着した泥水に、強い遠心力が作用する。したがって、ワイヤロープ１０５を巻き上げる際に、当該ワイヤロープに付着した泥水が、遠心力によって広範囲に飛散する。
【０００８】
また、ワイヤロープ１０５は、ハンマーグラブ１４１を操作する際に、シーブ１０２とウインチ１０３との間、及びシーブ１０２とハンマーグラブ１４１との間で大きく振れるようにようになっている。したがって、上述したワイヤロープ１０５の回転だけでなく、当該ワイヤロープの振れによっても、ワイヤロープに付着した泥水が広範囲に飛散する。
【０００９】
また、ハンマーグラブ１４１の水中からの引き上げ作業が完了して、ワイヤロープ１０５の巻上げを停止すると、当該ワイヤロープとハンマーグラブ１４１を連結しているスイベルジョイント１２１が、ワイヤロープ１０５の撚りを戻すために一気に高速で回転し始める。そのため、泥水は、ワイヤロープ１０５からだけでなく、ワイヤロープ１０５の巻上げを停止した直後のスイベルジョイント１２１からも大量に飛散する。
【００１０】
また、ワイヤロープ１０５に付着した泥水の一部は、ワイヤロープ１０５に付着した付着したままの状態でウインチ１０３に巻き取られる。そのため、ワイヤロープ１０５を巻き取った後に再びハンマーグラブ１４１を落下させるときにも、ワイヤロープ１０５が勢い良く繰り出していくため、下降するワイヤロープからも泥水が飛散する。
【００１１】
したがって、上述した従来の基礎工事の施工方法によれば、工事現場の周囲に在る住宅、走行中・駐車中の車両、通行人等に向けて、泥水を撒き散らすことによって、周辺環境に多大の迷惑をかけるという問題が生じている。また、水中から巻き上げられたワイヤロープから小石等が飛散した場合には、当該小石等が通行人等に衝突する危険性がある。
【００１２】
このような問題に対処するため、ワイヤーロープ１０５を中心とする工事現場の周囲に、泥水飛散防止用の防護シート、防護ネット、シールド壁等を設けることも検討、実施されている。しかしながら、このような泥水飛散防止手段は、防護シート等を設置するための大掛かりな作業を必要とするため、基礎工事の作業性を悪化させる。また、周囲を防護シート等で囲む方法では、クレーンのウインチとシーブとの間のワイヤロープ、及びシーブと掘削装置との間のワイヤロープのすべてを完全に覆うことは実質的に困難である。そのため、このような防護シート等を使用する泥水飛散防止方法では、周辺環境への泥水の飛散を効果的に防止することは難しい。さらに、防護壁等を設置するためのコストが高いために、基礎工事を低コストで実施することができないという不都合もある。
【００１３】
なお、下記特許文献１には、基礎工事中における抽出岩盤や硬質岩盤を粉砕することを主目的とする技術が開示されている。しかしながら、この特許文献１が開示する技術は、泥水飛散防止を図ることを目的とするものではない。したがって、特許文献１に記載された技術によっては、上述した従来技術の問題点を解決することができない。
【００１４】
【特許文献１】特開２０００−８０８７６号公報
【発明の開示】
【発明が解決しようとする課題】
【００１５】
上述した従来技術に鑑み、本発明の目的は、水掘りによる基礎工事（掘削工事）において生じている泥水等の飛散の問題点を解決する装置を提供することにある。
また、本発明の他の目的は、水掘りによる基礎工事において生じている泥水等の飛散の問題点を解決する基礎工事の施工方法を提供することにある。
【課題を解決するための手段】
【００１６】
このような目的は、下記（１）〜（９）の本発明により達成される。
【００１７】
（１）  内側に所定空間を有する筒状に形成され、クレーンのシーブを介して垂下されたワイヤロープが当該内側の所定空間を介して延出するようになっている中空の装置本体と、
少なくともワイヤロープを巻き上げている間において当該ワイヤロープに接触するように前記装置本体に取付けられ、当該ワイヤロープに付着した付着物を除去するための付着物除去手段と、を有することを特徴とするワイヤロープの付着物を除去するための付着物除去装置。
【００１８】
（２）  内側に所定空間を有する筒状に形成され、クレーンのシーブを介して垂下されたワイヤロープが当該内側の所定空間を介して延出するようになっている中空の装置本体と、
少なくともワイヤロープを巻き上げている間において当該ワイヤロープに接触するように前記装置本体に取付けられ、当該ワイヤロープに付着した付着物を擦り落とすための擦り落とし手段と、を有することを特徴とするワイヤロープの付着物を除去するための付着物除去装置。
【００１９】
（３）  地盤の所定部位に凹所を設け、当該凹所に対して水を張設し、クレーンによって吊設された掘削装置を利用して、水を介して地盤掘削を行う基礎工事において用いられる装置であって、
クレーンのシーブ側を臨むようになっている上方側と、当該クレーンのシーブを介して垂下されたワイヤロープに連結された掘削装置側を臨むようになっている下方側と、を有しており、内側に所定空間を備え、筒状に形成された中空の装置本体と、
前記装置本体の上方に形成され、前記所定空間に通じる上開口部と、
前記装置本体の下方に形成され、前記所定空間を介して前記上開口部に通じる下開口部と、
前記装置本体に取付けられ、前記ワイヤロープに付着した付着物を擦り落とすための擦り落とし手段と、を有しており、
前記上開口部，所定空間，及び下開口部は、クレーンのシーブを介して垂下されたワイヤロープが延出する通路を構成しており、
前記掘削装置は、前記上開口部，所定空間，及び下開口部を介して垂下されたワイヤロープに連結されるようになっており、
前記擦り落とし手段は、少なくともワイヤロープを巻き上げている間において前記掘削装置に連結されたワイヤロープに接触するように、前記装置本体に取り付けられており、
前記掘削装置を水中から引き上げるために前記クレーンによって前記ワイヤロープが巻き上げられた際には、当該ワイヤロープが前記装置本体に対して相対的に移動するとともに、前記擦り落とし手段が当該ワイヤロープに付着した付着物を擦り落とすようになっていることを特徴とするワイヤロープの付着物を除去するための付着物除去装置。
【００２０】
（４）  前記擦り落とし手段は、弾性材料から構成されていることを特徴とする上記（３）記載のワイヤロープの付着物を除去するための付着物除去装置。
【００２１】
（５）  前記掘削装置は、前記上開口部，所定空間，及び下開口部を経て垂下されたワイヤロープに対して、スイベルジョイントを介して連結されており、
前記装置本体の所定空間は、前記スイベルジョイントを収容可能な大きさを有するように形成されており、
前記掘削装置を水中から引き上げるために前記クレーンによって前記ワイヤロープが巻き上げられた際には、前記スイベルジョイントが、前記装置本体の下開口部を介して前記所定空間に進入して、当該所定空間に収容されるようになっていることを特徴とする上記（３）又は（４）記載のワイヤロープの付着物を除去するための付着物除去装置。
【００２２】
（６）  前記擦り落とし手段は、全体として、所定径の孔が形成された板状又は筒状に形成されており、
前記擦り落とし手段の孔の径は、前記ワイヤロープの径よりも小さい寸法を有しており、
前記ワイヤロープは、前記擦り落とし手段の当該孔を介して延出するようになっていることを特徴とする上記（３）乃至（５）の何れかに記載のワイヤロープの付着物を除去するための付着物除去装置。
【００２３】
（７）  前記擦り落とし手段は、前記装置本体に対して、着脱自在に取付けられていることを特徴とする上記（３）乃至（６）の何れかに記載のワイヤロープの付着物を除去するための付着物除去装置。
【００２４】
（８）  地盤の所定部位に凹所を設け、当該凹所に対して水を張設し、クレーンによって吊設された掘削装置を利用して、水を介して地盤掘削を行う基礎工事施工方法であって、
クレーンのシーブから垂下されたワイヤロープに対して、掘削装置を、スイベルジョイントを介して連結し、
前記ワイヤロープが上開口部，所定空間，及び下開口部を介して延出し、且つ、擦り落とし手段が当該ワイヤロープと接触するように、上記（１）乃至（７）の何れかに記載の付着物除去装置を、前記スイベルジョイントと前記シーブとの間において、当該ワイヤロープに取り付け、
前記除去装置の擦り落とし手段が前記ワイヤロープに接触した状態において、前記掘削装置を水中から引き上げるために前記クレーンによって前記ワイヤロープを巻き上げることを特徴とする基礎工事の施工方法。
【００２５】
（９） さらに、前記掘削装置の引き上げに伴って上昇してきた前記スイベルジョイントを、当該スイベルジョイントが装置本体によって囲繞されるように、前記付着物除去装置の装置本体の所定空間に収容し、
スイベルジョイントのほぼ全体が、前記付着物除去装置の装置本体の所定空間に収容された状態において、掘削装置の水中からの引き上げを完了することを特徴とする上記（８）記載の基礎工事の施工方法。
【発明の効果】
【００２６】
上述した付着物除去装置及びこの装置を利用した基礎工事の施工方法によれば、装置本体の内側に取付けられた擦り落とし手段は、ワイヤロープを巻き上げている間において、掘削装置に連結されたワイヤロープに接触するようになっている。そして、この掘削装置を水中から引き上げるためにワイヤロープを巻き上げた際には、当該ワイヤロープが装置本体に対して相対的に移動して、擦り落とし手段がワイヤロープに付着した泥水や汚泥等の付着物を擦り落とすように（除去するように）なっている。
したがって、付着物が随伴した状態でワイヤロープが巻き上げられた場合であっても、当該付着物がクレーンのシーブにおいて滴下する前及びワイヤロープの回転に伴う遠心力によって飛散する前に、ほとんどの付着物を擦り落とし手段によって擦り落とすことが可能になる。
その結果、ワイヤロープを引き上げる際に、基礎工事を行う作業現場、工事現場周辺の民家、走行中・駐車中の車両、通行人等が、当該ワイヤロープから飛散した泥水等によって汚染されるという事態が生じるのを防止することができる。したがって、本発明によれば、近隣に迷惑をかけることなく、且つ、周辺環境を汚染することなく、円滑に基礎工事を完了することが可能になる。
【００２７】
また、従来技術との関係で説明したように、掘削装置の水中からの引き上げが完了して、ワイヤロープの巻上げを停止すると、ワイヤロープと掘削装置を連結しているスイベルジョイントが、ワイヤロープの撚りを戻すために一気に高速で回転し始める。そのため、泥水等の付着物は、ワイヤロープからだけでなく、当該ワイヤロープの巻上げを停止した後のスイベルジョイントからも飛散することとなる。ところが、上述した本発明によれば、スイベルジョイントは装置本体の内側空間に収容されるようになっている。しかも、収容されたスイベルジョイントは、装置本体によって囲繞されるようになっている。したがって、スイベルジョイントが内側空間に収容された状態において、掘削装置の水中からの引き上げを完了することによって、スイベルジョイントからの付着物の飛散を効果的に防止することが可能になる。
【００２８】
したがって、本発明によれば、水掘りによる基礎工事を施工する際に、住宅や駐車中の自動車や通行人に汚染が及ぶような虞が全くないので、クリーンな作業現場を維持した状態で、作業が進めることができる。その結果、従来と比較して、作業効率を改善することが可能になるので、基礎工事を設計通りの期間において完了することが可能になる。
【発明を実施するための最良の形態】
【００２９】
以下、添付図面に基づいて、本発明の付着物除去装置、及び当該装置を利用した基礎工事の施工方法の一実施形態について詳細に説明する。
【００３０】
（付着物除去装置の構成）
まず最初に、図１乃至図３に基づいて、本発明の付着物除去装置の構成について説明する。図１は、本発明の付着物除去装置１の閉じた状態を示す斜視図である。図２は、図１に示す付着物除去装置１の開いた状態、及び当該装置の内部構成の概略を示す斜視図である。図３は、図１に示す付着物除去装置１の装置本体１０の第１部分（第１ハーフ）１１が内側に備える各種部材を拡大した状態で示す斜視図である。この図３において、図３（Ａ）は、装置本体１０の第１部分１１の上方に設けられた位置決め部材６１を示す拡大斜視図である。また、図３（Ｂ）は、装置本体１０の第１部分１１に設けられた第１弾性プレート４１及びこれを挟持する挟持板１７を示す拡大斜視図である。また、図３（Ｃ）は、装置本体１０の第１部分１１に設けられた第２弾性プレート４２及びこれを挟持する挟持板１７を示す拡大斜視図である。また、図３（Ｄ）は、装置本体１０の第１部分１１に設けられた第３弾性プレート４３及びこれを挟持する挟持板１７を示す拡大斜視図である。なお、以下の説明において、従来技術の説明との関係で参照した図１１に示す構成と同様の構成については、同じ符号を用い、適宜その説明を省略する。
【００３１】
図１乃至図３に示すように、本発明の付着物除去装置（水切り装置）１は、先細り筒状に形成された中空の装置本体１０（図１参照）と、掘削装置に連結されたワイヤロープに付着した付着物を擦り落とすための複数の弾性プレート（擦り落とし手段／除去手段／水切り手段）４１〜４６と（図２参照）、装置本体１０の内側を延出するワイヤロープの位置決めを行うためのシリコン製の位置決め部材６１，６２と、を有している。（以下、付着物除去装置を、単に「装置」と称する。）
【００３２】
この装置１は、水掘りによる基礎工事（すなわち、地盤の所定部位に凹所を設け、当該凹所に対して水を張設（注水）し、当該水を介して地盤掘削（水中孔内掘削）を行う基礎工事）において用いられる。なお、本明細書において、「水掘り」とは、純粋な水だけを利用する場合のみならず、安定液（たとえばベントナイト等を使った泥水）を利用する場合も含む趣旨であることに留意されたい。
【００３３】
装置１の上方側（図面上側）は、当該装置１の使用時において、掘削装置を吊設するためのクレーンのシーブ側を臨むようになっている。また、反対の下方側（図面下側）は、当該装置１の使用時において、クレーンのシーブから垂下されたワイヤロープに連結された掘削装置（たとえばドリリングバケットやハンマーグラブ等）側を臨むようになっている。
【００３４】
装置１の装置本体１０は、剛性材料から形成されており、図２に示すように、主として、第１部分（第１ハーフ）１１と第２部分（第２ハーフ）１２とから構成されている。装置本体１０の第１部分１１は、先細り状の筒を縦方向において半分に切断したときの一方の側の形状を有しており、第２部分１２は、その他方の側の形状を有している。第１部分１１及び第２部分１２は、互いに、複数の蝶番１５によって開閉自在に連結されている。ただし、第１部分１１及び第２部分１２は、基礎工事において実際の使用に供されるときには、落下防止のために、ボルト１８とナット１９によって閉まった状態（図１に示す状態）に固定されるようになっている。
【００３５】
この装置本体１０の上方には、第１部分１１と第２部分１２とを組み合わせた状態（図１に示す閉じた状態）において、上開口部２３が形成されるようになっている。また、装置本体１０の下方には、下開口部２５が形成されるようになっている。この下開口部２５は、一般的なスイベルジョイント（ワイヤロープと掘削装置とを連結する撚り戻し装置）が通過できる程度の寸法を有している。なお、本明細書において、「スイベルジョイント」とは、撚り戻し機能を備えたフックを含む趣旨であることに留意されたい。
【００３６】
また、装置本体１０は、第１部分１１及び第２部分１２を閉じた状態において、内側に所定空間（内側空間）２１を有するように形成されている。この内側空間２１は、下開口部２５を介して進入してきたスイベルジョイントを収容可能なサイズを有するように形成されている。なお、上述した上開口部２３と下開口部２５は、この内側空間２１を介して通じている。すなわち、上開口部２３，内側空間２１，及び下開口部２５は通路を構成している。そして、装置１が実際に使用される際には、クローラクレーン等のクレーンのシーブから垂下されたワイヤロープが、装置本体１０の上開口部２３，内側空間２１，及び下開口部２５を介して、延出するようになっている。
【００３７】
図２に示すシリコン製の位置決め部材（センター出し部材）６１，６２は、組み合わさった状態（図１に示す装置本体１０を閉じた状態）においてリング形状を成すように形成，配置されている。この位置決め部材６１，６２が組み合わさることによって形成されるリング形状の開口部（中心孔）は、掘削工事において用いられるワイヤロープ（掘削装置を吊り下げるためのワイヤロープ）の径よりも、やや大きな径を有するようになっている。このような位置決め部材を設けることにより、当該ワイヤロープが直接に装置本体１０に接触することが防止されるようになっている。その結果、装置本体１０と接した際の摩擦に起因するワイヤロープの磨耗を防止することが可能になる。
【００３８】
上述したリング形状の一方の半分を成す位置決め部材６１は、装置本体１０の第１部分１１の上方であって、上開口部２３の近傍に設けられている（図２参照）。同様に、リング形状の他方の半分を成す第２部分１２は、装置本体１０の第２部分１２の上方であって、上開口部２３の近傍に設けられている。
【００３９】
複数の弾性プレート４１〜４６は、後述するように所定の弾性材料から形成されている。また、弾性プレート４１〜４６のそれぞれは、図３（Ｂ）〜（Ｄ）に示すように、半円状に形成されており、その円心付近には半円状の切り欠きが形成されている。これらの弾性プレート４１〜４６は、その半円状切り欠き部の近傍の縁領域において、水中から巻き上げられたワイヤーロープに付着した様々な付着物を擦り落とす（カットする）役割を担っている。なお、本明細書において「付着物」とは、基礎工事において凹所に張設した水に含まれる泥水や汚泥のみならず、ベントナイトを使用した場合に生じるベントナイト泥水等を含む趣旨である。
【００４０】
上述した構成を有する弾性プレート４１〜４６のうち、第１乃至第３の弾性プレート４１〜４３は、図２に示すように、装置本体１０の第１部分１１の内壁側に設けられている。また、第４乃至第６の弾性プレート４４〜４６は、装置本体１０の第２部分１２の内壁側に設けられている。
【００４１】
第１部分１１の側において、第１乃至第３の弾性プレート４１〜４３のそれぞれは、２枚の挟持板１７の間に差し込んであり、当該挟持板によって弾性プレートが着脱自在に挟持されている。これらの挟持板１７は、装置本体１０（第１部分１１）の内壁に対して一体に設けられており、装置本体１０と同様の剛性材料から形成されている。また、第２部分１２の側にも、第１部分１１の側と同様にして、第４乃至第６の弾性プレート４４〜４６が、挟持板１７によって挟持されている。このように弾性プレート４１〜４６を着脱自在に設けることにより、ワイヤロープとの接触により磨り減った弾性プレートを、簡単に、新たな弾性プレートに交換することが可能になる。なお、実際に使用している間に挟持板１７から弾性プレート４１〜４６が不意に抜け落ちないようにするために、弾性プレート４１〜４６のそれぞれは、図２及び図３に示すように、挟持板及び弾性プレートを貫通するボルト及びナットを用いて固定されていることが好ましい。
【００４２】
これらの弾性プレートのうち、第１及び第４弾性プレート４１，４４は、装置本体１０を閉じた状態において組み合わさって、ドーナツ状（中空の円盤状）の弾性プレートを構成するようになっている。また、第１及び第４弾性プレート４１，４４は、それぞれ、図３（Ｂ）に示すように、ゴム製のプレート４７とウレタンゴム製のプレート４８とを積層することによって構成されている。このような構成を有する第１及び第４弾性プレート４１，４４は、ゴム製プレート４７が上側（クレーンのシーブ側）を向くように、装置本体１０に取り付けられている。
【００４３】
同様に、第２及び第５弾性プレート４２，４５は、装置本体１０を閉じた状態において組み合わさって、ドーナツ状（中空の円盤状）の弾性プレートを構成するようになっている。また、第２及び第５弾性プレート４２，４５は、それぞれ、図３（Ｃ）に示すように、ゴム製のプレート４７とウレタンゴム製のプレート４８とを積層することによって構成されている。このような構成を有する第２及び第５弾性プレート４２，４５は、ゴム製プレート４７が上側（クレーンのシーブ側）を向くように、装置本体１０に取り付けられている。
【００４４】
また、第３及び第６弾性プレート４３，４６も、装置本体１０を閉じた状態において組み合わさって、ドーナツ状（中空の円盤状）の弾性プレートを構成するようになっている。ただし、第３及び第６弾性プレート４３，４６の場合には、上述した弾性プレート４１，４２，４４，４５と異なり、各弾性プレートは、図３（Ｄ）に示すように、シリコン製のプレート４９とウレタンゴム製のプレート４８とを積層することによって構成されている。このような構成を有する第３及び第６弾性プレート４３，４６は、シリコン製プレート４９が上側（クレーンのシーブ側）を向くように、装置本体１０に取り付けられている。
【００４５】
上述した２枚の弾性プレートの組み合わせによって形成されるドーナツ状（中空の円盤状）の弾性プレートには、その中心付近において中空部分（孔）が形成されるようになっている。この中空部分は、掘削工事において用いられるワイヤロープ（掘削装置を吊り下げるためのワイヤロープ）の径よりも小さい径を有するようになっている。なお、装置１が実際に使用される際には、このドーナツ状の弾性プレートの中空部分を介して、ワイヤロープが延出するようになっている。このような形状を有する弾性プレート４１〜４６を用いることにより、当該弾性プレートの中心付近は、ワイヤーロープを巻き上げている間は常にワイヤーロープに接触（密着）することになる。その結果、より効果的に、ワイヤロープに付着した付着物を擦り落とすことが可能になる。
【００４６】
また、上述したように弾性プレート４１〜４６のそれぞれを弾性材料から構成することにより、ワイヤロープの動きに合わせて、当該弾性プレートが柔軟に動くようになる。その結果、弾性プレート４１〜４６の縁が、ワイヤロープの表面に対してより追従し易くなるので、より効果的にワイヤロープに付着した付着物を擦り落とすことが可能になる。また、ワイヤロープと接触する弾性プレート４１〜４６を弾性材料から構成することによって、当該弾性プレートとの摩擦によってワイヤロープが磨耗することを防止することが可能になる。
【００４７】
（付着物除去装置の取り付け）
次に、掘削装置の一例としてハンマーグラブを挙げ、図４乃至図６に基づいて、上述した構成を有する装置１のワイヤロープへの取り付け手順の一例について説明する。図４は、図１に示す装置１を、ハンマーグラブ１４１に連結されたワイヤロープ１０５に取り付けた状態を示す図である。図５は、図４に示す装置１を示す拡大図である（装置１については断面で示す）。図６は、図４に示すワイヤロープ１０５とハンマーグラブ１４１とを連結するスイベルジョイント１２１等を示す拡大図である。
【００４８】
装置１をワイヤロープへ取り付ける際には、予め、クレーン１０１のシーブ１０２から昇降自在に垂下されたワイヤロープ１３０に、ハンマーグラブ１４１を係脱自在に保持するための係脱機構を備えたクラウン（ハンマークラウン）１３１を連結する。また、シーブ１０２からクラウン１３１を介して昇降自在に垂下されたワイヤロープ１０５に、ハンマーグラブ１４１を連結する。さらに、開いた状態（図２に示す状態）の装置１を用意する。
【００４９】
次に、クレーン１０１のシーブ１０２から垂下されたワイヤロープ（シーブ１０２とクラウン１３１との間に位置する部分のワイヤロープ）１０５が、装置１の上開口部２３から入って、内側空間２１を通り、下開口部２５から抜け出てくるように、ワイヤロープ１０５を張り渡す。具体的には、ワイヤロープ１０５が、下記（１）〜（４）のそれぞれを順番に通過するように、当該ワイヤロープを張り渡す。
（１）位置決め部材６１，６２の組み合わせから成るリング状部材の中心孔
（２）第１及び第４弾性プレート４１，４４の組み合わせから成るドーナツ状弾性プレートの中心孔
（３）第２及び第５弾性プレート４２，４５の組み合わせから成るドーナツ状弾性プレートの中心孔
（４）第３及び第６弾性プレート４３，４４の組み合わせから成るドーナツ状弾性プレートの中心孔
【００５０】
そして、上述したワイヤロープ１０５の設置が完了した際には、筒状の装置本体１０によって当該ワイヤロープ１０５が囲繞されるように、装置１を閉じる。最後に、落下防止のために、装置１の第１部分１１と第２部分１２とを、ボルト１８とナット１９で固定する（図１参照）。以上の作業を経て、装置１は、ワイヤロープ１０５に取り付けられ、当該ワイヤロープ１０５に沿って自重により自由落下する状態に至る。
【００５１】
なお、ワイヤロープ１０５に取り付けられた装置１の下方には、ハンマーグラブ１４１を係脱自在に保持するためのクラウン１３１が、フック１３３及びチェーン１３５を介して、ワイヤロープ（メインワイヤ）１０５とは別のワイヤーロープ１３０によって吊設されている（図４及び図５参照）。したがって、装置１は、自重によってワイヤロープ１０５に沿って滑り落ちるが、クラウン１３１の上において停止するようになっている。すなわち、ワイヤロープ１０５に取り付けられた装置１は、ワイヤーロープ１３０に連結されたクラウン１３１の上に設置されるようになっている。このような構成により、ワイヤロープ１０５は、クラウン１３１によって支持された装置１の内側を介して、自在に昇降（巻き上げ・繰り出し）できるようになっている。
【００５２】
なお、本実施形態において、装置１及びクラウン１３１の下方においては、当該装置１及びクラウン１３１の内側を通って延出するワイヤロープ１０５に対して、ハンマーグラブ１４１が、図６に示すような連結機構を介して連結されている。
【００５３】
すなわち、開口部２３，内側空間２１及び下開口部２５を介して延出するワイヤロープ１０５の一端は、所定のワイヤ締結具（かしめ部材）１０７を用いて、スイベルジョイント１２１の一端に連結されている。このワイヤ締結具１０７の上側近傍には、円柱状保護部材（当接部材）１０９が固定されており、当該保護部材１０９によって、ワイヤロープ１０５の巻上げ時にワイヤ締結具１０７が最下段の挟持板１７に対して直接に衝突することが防止されるようになっている。
【００５４】
一方、ハンマーグラブ１４１から延出するワイヤーロープ１０６も、同様にして、ワイヤ締結具１０８によって、スイベルジョイント１２１の他端に連結されている。このようにして、ハンマーグラブ１４１は、スイベルジョイント１２１を介して、ワイヤロープ１０５に連結されている。
【００５５】
（付着物除去装置の作用）
次に、図１〜図６を適宜参照しながら、図７〜図１０に基づいて、装置１の具体的な作用について説明する。図７は、実際に使用されている装置１の拡大した様子を示す部分断面図である。この図７において、図７（Ａ）は、ハンマーグラブ１４１を水中へ向けて落下させているときに、当該ハンマーグラブの落下に伴ってワイヤロープ１０５が下降しているときの装置１の様子を示す部分断面図である。また、図７（Ｂ）は、ハンマーグラブ１４１を水中から引き上げるために、ワイヤロープ１０５を巻き上げているときの装置１の様子を示す部分断面図である。図８は、図４に示すハンマーグラブ１４１を水中から引き上げるために、ワイヤロープ１０５を巻き上げている様子を示す図である。図９は、図８に示すハンマーグラブ１４１を引き上げ続けた結果、スイベルジョイント１２１が装置１の内側に進入し、保護部材１０９が最下段の挟持板１７に当接している様子を示す図である（装置１を断面で示す）。図１０は、図９に示す状態からワイヤロープ１０５を僅かに繰り出した結果、クラウン１３１によってハンマーグラブ１４１が保持されている様子を示す図である（装置１を断面で示す）。
【００５６】
掘削作業を行う際には、まず、ハンマーグラブ１４１とクラウン１３１との係止状態を解除する。その結果、３．５ｔ程度の重さのあるハンマーグラブ１４１がクラウン１３１から切り離され、自重により高速で落下する。その結果、図４に示すように、当該ハンマーグラブ１４１の先端（シェル１４２）が、水底の土砂に衝突して食い込む。
【００５７】
ハンマーグラブ１４１を落下させている間（すなわち、ワイヤロープ１０５を繰り出している間）は、位置決め部材６１，６２が、ワイヤロープ１０５が装置１のほぼ中心と通るように当該ワイヤロープの位置決め（センター出し）を行うようになっている（図７（Ａ）参照）。このようにワイヤロープ１０５の位置決めを行うことによって、ワイヤロープ１０５が直接に装置１に接触することを防止することが可能になる。その結果、ワイヤロープ１０５と装置１（装置本体１０）との摩擦によって生じ得るワイヤロープ１０５の磨耗を防ぐことができる。
【００５８】
また、ハンマーグラブ１４１を落下させている間は、弾性プレート４１〜４６のそれぞれが、下降するワイヤロープ１０５に追従するように、当該ワイヤロープに接触しながら下方に弾性変形するようになっている（図７（Ａ）参照）。なお、ハンマーグラブ１４１を落下させている間において、第１及び第２弾性プレート４１，４２、並びに第４及び第５弾性プレート４４，４５については、上面側のゴム製プレート４７の部分が、ワイヤロープ１０５に接触するようになっている（図３（Ｂ）及び（Ｃ）参照）。また、第３及び第６弾性プレート４３，４６については、上面側のシリコン製プレート４９の部分が、ワイヤロープ１０５に接触するようになっている（図３（Ｄ）参照）。したがって、第３及び第６弾性プレート４３，４６は、ハンマーグラブ１４１を落下させている間は、上述した位置決め部材６１，６２と同様の位置決め部材としても機能するようになっている。
【００５９】
次に、排土作業を行う際には、まず、ワイヤロープ１０５を巻き上げることにより、掘削した土砂をハンマーグラブ１４１のシェル１４２の内側に閉じ込める。そして、ワイヤロープ１０５を更に巻き上げ続けることによって、ハンマーグラブ１４１の引き上げを開始する。すると、ワイヤーロープ１０５がクラウン１３１及び装置１の内側を通って上昇し始めるとともに、当該ワイヤーロープ１０５のうちの水中に浸かっていた部分が水中から脱し始める。
【００６０】
一方、クラウン１３１及び当該クラウンの上に設置してある装置１は、ワイヤーロープ１０５とは別のワイヤーロープ１３０によって吊設されているため、ワイヤーロープ１０５の巻き上げ操作に関係なく、所定高さの定位置（たとえば水面から２〜３ｍの高さ）に保持されている。したがって、ハンマーグラブ１４１を水中から引き上げるためにクレーン１０１によってワイヤロープ１０５が巻き上げられている間は、当該ワイヤロープ１０５が装置本体１０に対して相対的に移動するようになっている（図４との比較において図８を参照）。
【００６１】
そして、ワイヤロープ１０５を巻き上げ続けている間（ハンマーグラブ１４１を引き上げている間）は、繰り出し時と同様に、位置決め部材６１，６２が、ワイヤロープ１０５の位置決め（センター出し）を行うようになっている。また、弾性プレート４１〜４６のそれぞれが、上昇するワイヤロープ１０５を追従するように、当該ワイヤロープ１０５に接触しながら上方に弾性変形するようになっている（図７（Ｂ）参照）。なお、ワイヤロープ１０５を巻き上げている間において、弾性プレート４１〜４６のそれぞれは、下面側のウレタンゴム製プレートの部分において（図３参照）、ワイヤロープ１０５に接触するようになっている。その結果、弾性プレート４１〜４６のそれぞれによって、ワイヤロープ１０５に付着した付着物のほとんどが擦り落とされる（しごき落とされる）。擦り落とされた付着物は、クラウン１３１の内側を通って、水中に落下するようになっている。
【００６２】
なお、上述したように、ワイヤロープ１０５の巻上げ時においては、耐磨耗性、耐衝撃性、耐荷重性、耐老化性等の点で優れた特性を有するウレタンゴム製プレート４８の部分がワイヤロープ１０５に接触するようになっているので、ワイヤロープ１０５との接触・摩擦に因る弾性プレート４１〜１６の磨耗を最小限に抑えることができるようになっている。
【００６３】
図８に示す状態から更にワイヤロープ１０５を巻き上げ続けると、スイベルジョイント１２１が、装置本体１０の下開口部２５を介して内側空間２１に進入して、当該内側空間に収容される。その結果、スイベルジョイント１２１の全体が、装置本体１０によって囲繞される。
【００６４】
更にワイヤロープ１０５を巻き上げ続けると、ハンマーグラブ１４１のヘッドポール１４３がクラウン１３１の内側に進入するとともに、ワイヤロープ１０５に固定してある保護部材１０９が、装置１内の最下段に位置する挟持板１７に当接する（図９参照）。
【００６５】
そして、この状態から僅かにハンマーグラブ１４１を下降させると、ヘッドポール１４３のフランジ部１４５がクラウン１３１の内側に設けられた係止機構（図示せず）によって係止され、当該ハンマーグラブ１４１がクラウン１３１によって保持される（図１０参照）。そして、ハンマーグラブ１４１の水中からの引き上げが完了した時点において、スイベルジョイント１２１の全体は、装置本体１０によって囲繞された状態で、装置１の内側空間２１に収容されるようになっている。
【００６６】
次に、水中から引き上げられたハンマーグラブ１４１をクラウン１３１に保持させたままの状態でクレーン１０１を旋回させ、掘削土を廃棄する。以上説明した掘削・排土作業を繰り返し行って、ケーシングパイプ２０１内の土砂を掘削・排土する。
【００６７】
上述した装置１を利用した基礎工事の施工方法によれば、以下に述べる有利な効果が達成される。
すなわち、まず、上述した基礎工事の施工方法においては、水中から巻き上げられたワイヤロープ１０５に大量に付着した泥水や汚泥等の付着物は、当該ワイヤロープが水中から引き上げられた後においても、当該ワイヤロープに随伴して上昇し続けようとする。
ところが、上述した本発明によれば、装置本体１０の内側に取付けられた弾性プレート４１〜４６は、ワイヤロープ１０５を巻き上げている間において、ハンマーグラブ１４１に連結されたワイヤロープ１０５に接触するようになっている。そして、このハンマーグラブ１４１を水中から引き上げるためにワイヤロープ１０５を巻き上げた際には、当該ワイヤロープが装置本体１０に対して相対的に移動して、弾性プレート４１〜４６がワイヤロープ１０５に付着した泥水や汚泥等の付着物を擦り落とすように（除去するように）なっている。
したがって、付着物が随伴した状態でワイヤロープ１０５が巻き上げられた場合であっても、当該付着物がクレーン１０１のシーブ１０２において滴下する前及びワイヤロープ１０５の回転に伴う遠心力によって飛散する前に、ほとんどの付着物を弾性プレート４１〜４６によって擦り落とすことが可能になる。
その結果、ワイヤロープ１０５を引き上げる際に、基礎工事を行う作業現場、工事現場周辺の民家、走行中・駐車中の車両、通行人等が、当該ワイヤロープから飛散した泥水等によって汚染されるという事態が生じるのを防止することができる。したがって、本発明によれば、近隣に迷惑をかけることなく、且つ、周辺環境を汚染することなく、円滑に基礎工事を完了することが可能になる。
【００６８】
また、従来技術との関係で説明したように、ハンマーグラブ１４１の水中からの引き上げが完了して、ワイヤロープ１０５の巻上げを停止すると、ワイヤロープ１０５とハンマーグラブ１４１を連結しているスイベルジョイント１２１が、ワイヤロープの撚りを戻すために一気に高速で回転し始める。そのため、泥水等の付着物は、ワイヤロープ１０５からだけでなく、当該ワイヤロープの巻上げを停止した後のスイベルジョイント１２１からも飛散することとなる。ところが、上述した本発明によれば、スイベルジョイント１２１は装置本体１０の内側空間２１に収容されるようになっている。しかも、収容されたスイベルジョイント１２１は、装置本体１０によって囲繞されるようになっている。したがって、スイベルジョイント１２１が内側空間２１に収容された状態において、ハンマーグラブ１４１の水中からの引き上げを完了することによって、スイベルジョイント１２１からの付着物の飛散を効果的に防止することが可能になる。
【００６９】
したがって、本発明によれば、水掘りによる基礎工事を施工する際に、住宅や駐車中の自動車や通行人に汚染が及ぶような虞が全くないので、クリーンな作業現場を維持した状態で、作業が進めることができる。その結果、従来と比較して、作業効率を改善することが可能になるので、基礎工事を設計通りの期間において完了することが可能になる。
【００７０】
以上、本発明に係る付着物除去装置、及び当該装置を利用した基礎工事の施工方法について説明した。なお、上述した実施形態は、単なる一例であって、本発明を上述した実施形態に限定する趣旨ではないことに留意されたい。
【００７１】
たとえば、本発明において弾性プレート（擦り落とし手段）を構成すべき材料は、ウレタンゴムやシリコンに限定されず、各種の合成ゴム、天然ゴム、軟質合成樹脂等であってもよい。
【００７２】
また、本発明の特徴の一つを成す擦り落とし手段は、必ずしも、半円状の弾性プレートから構成されている必要はなく、たとえば、ワイヤロープが貫通する所定径の孔が形成された板や筒から構成されてもよい。また、擦り落とし手段は、ブラシ等から構成されてもよい。
【００７３】
また、本発明の装置を利用することが可能な基礎工事の工法は特に限定されず、オールケーシング工法、アースドリル工法、その他のあらゆる工法に基づく基礎工事において適用することが可能である。
【産業上の利用可能性】
【００７４】
本発明は、水掘りによる基礎工事（掘削工事）において生じている泥水等の飛散の問題点を解決するのに好適に用いられる。
【図面の簡単な説明】
【００７５】
【図１】本発明の付着物除去装置の閉じた状態を示す斜視図である。
【図２】図１に示す付着物除去装置の開いた状態、及び当該装置の内部構成の概略を示す斜視図である。
【図３】図１に示す付着物除去装置の装置本体の第１部分が内側に備える各種部材を拡大した状態で示す斜視図である。
【図４】図１に示す付着物除去装置を、ハンマーグラブに連結されたワイヤロープに取り付けた状態を示す図である。
【図５】図４に示す付着物除去装置を示す拡大図である（付着物除去装置については断面で示す）。
【図６】図４に示すワイヤロープとハンマーグラブとを連結するスイベルジョイント等を示す拡大図である。
【図７】実際に使用されている付着物除去装置の拡大した様子を示す部分断面図である。
【図８】図４に示すハンマーグラブを水中から引き上げるために、ワイヤロープを巻き上げている様子を示す図である。
【図９】図８に示すハンマーグラブを引き上げ続けた結果、スイベルジョイントが付着物除去装置の内側に進入して、保護部材が最下段の挟持板に当接している様子を示す図である（付着物除去装置を断面で示す）。
【図１０】図９に示す状態からワイヤロープを僅かに繰り出した結果、クラウンによってハンマーグラブが保持されている様子を示す図である（付着物除去装置を断面で示す）。
【図１１】従来より行われている水掘りによる基礎工事の一例を示す図である。
【符号の説明】
【００７６】
１              付着物除去装置
１０            装置本体
１１            第１部分
１２            第２部分
１５            蝶番
１７            挟持板
１８            ボルト
１９            ナット
２１            内側空間
２３            上開口部
２５            下開口部
４１            第１弾性プレート
４２            第２弾性プレート
４３            第３弾性プレート
４４            第４弾性プレート
４５            第５弾性プレート
４６            第６弾性プレート
４７            ゴム製プレート
４８            ウレタンゴム製プレート
４９            シリコン製プレート
６１            位置決め部材
６２            位置決め部材
１０１          クレーン
１０２          シーブ
１０３          ウインチ
１０５          ワイヤロープ（メインワイヤ）
１０６          ワイヤロープ
１０７          ワイヤ締結具
１０８          ワイヤ締結具
１０９          保護部材（当接部材）
１２１          スイベルジョイント
１３０          ワイヤロープ
１３１          クラウン（ハンマークラウン）
１３３          フック
１３５          チェーン
１４１          ハンマーグラブ（掘削装置）
１４２          シェル
１４３          ヘッドポール
１４５          フランジ部
２０１          ケーシングパイプ
２０３          地盤
２０５          水
【図１】
2005083061.tif 000003
【図２】
2005083061.tif 000004
【図３】
2005083061.tif 000005
【図４】
2005083061.tif 000006
【図５】
2005083061.tif 000007
【図６】
2005083061.tif 000008
【図７】
2005083061.tif 000009
【図８】
2005083061.tif 000010
【図９】
2005083061.tif 000011
【図１０】
2005083061.tif 000012
【図１１】
2005083061.tif 000013